(57)【要約】【課題】本発明は、コンテンツ配信サービスにおける利用者の決裁に対する不安を解消し、インターネットを利用して簡単、かつ便利にコンテンツをダウンロードできる。【解決手段】コンテンツプロバイダー１０１が有料コンテンツのうちダウンロードさせることができる有料コンテンツ情報を含むダウンロード情報を情報記憶媒体に格納するステップと、該情報記録媒体に格納されたダウンロード情報をコンテンツ受信システム１００が読み取るステップと、該読み取られたダウンロード情報に基づいてコンテンツプロバイダー１０１が有料コンテンツをインターネット１０２を介して送信するステップと、該送信された有料コンテンツをコンテンツ受信システム１００が受信するステップとを備える。【選択図】  図１
2004152227.tif 000002
【特許請求の範囲】
【請求項１】
コンテンツプロバイダーが有料コンテンツのうちダウンロードさせることができる有料コンテンツ情報を含むダウンロード情報を情報記憶媒体に格納するステップと、
該情報記録媒体に格納されたダウンロード情報をコンテンツ受信システムが読み取るステップと、
該読み取られたダウンロード情報に基づいて前記コンテンツプロバイダーが有料コンテンツをインターネットを介して送信するステップと、
該送信された有料コンテンツを前記コンテンツ受信システムが受信するステップと、
を備えたことを特徴とするコンテンツ配信サービス方法。
【請求項２】
コンテンツプロバイダーの有料コンテンツをインターネットを介して受信するコンテンツ受信システムの制御手段に、
情報記録媒体に格納された、有料コンテンツのうちダウンロードできる有料コンテンツ情報を含むダウンロード情報を読み取るステップと、
該読み取ったダウンロード情報を前記コンテンツ受信システムの記憶手段に格納するステップと、
該記憶手段に格納されたダウンロード情報に基づいて前記コンテンツプロバイダーから有料コンテンツをダウンロードするステップと、
を実行させる制御プログラム。
【請求項３】
請求項２に記載の制御プログラムにおいて、
前記制御手段に、複数の有料コンテンツからユーザの要求に応じたコンテンツをダウンロードするステップを実行させる制御プログラム。
【請求項４】
請求項２乃至３に記載の制御プログラムにおいて、
前記制御手段に、ダウンロードした有料コンテンツを前記情報記憶媒体に書き込むステップを実行させる制御プログラム。
【請求項５】
請求項２乃至４に記載の制御プログラムを記録したコンピュータ読み取り可能な媒体。
【請求項６】
請求項２乃至４に記載の制御プログラムと有料コンテンツのうちダウンロードできる有料コンテンツ情報を含むダウンロード情報とを記録したコンピュータ読み取り可能なデータ構造記録媒体。
【発明の詳細な説明】
【０００１】
【発明の属する技術分野】
本発明は、コンテンツ配信サービス方法に係り、特に、コンテンツ配信サービスにおける利用者の決裁に対する不安を解消し、インターネットを利用して簡単、かつ便利にコンテンツをダウンロードできるためのコンテンツ配信サービス方法に関する。
【０００２】
【従来の技術】
インターネットはコンテンツやサービスの画期的な配信手段として期待されている。インターネットの利点は、量販店等で購入するために必要な移動時間とかかる費用からなる利用コスト、消費者が自分のニーズにあった商品やサービスを選び出す費用である選択コストの節約にある。上記利点から、上記インターネットを利用して有料のコンテンツの配信を行っていた。その際の決裁は、カードによる決裁、商品受け取りの際に代金を支払う決裁、および代金を入金後サービスが受けられる決裁等であった。なお、記載すべき先行技術文献情報はない。
【０００３】
【発明が解決しようとする課題】
しかしながら、上記インターネットによるコンテンツの配信は、代金の決裁方法に関する不安のため、十分に行われていないという不都合が生じていた。
【０００４】
【発明の目的】
そこで、本発明は、コンテンツ配信サービスにおける利用者の決裁に対する不安を解消し、インターネットを利用して簡単、かつ便利にコンテンツをダウンロードできるコンテンツ配信サービス方法を提供することを目的とする。
【０００５】
【課題を解決するための手段】
上記課題を解決するために、請求項１の発明は、コンテンツプロバイダーが有料コンテンツのうちダウンロードさせることができる有料コンテンツ情報を含むダウンロード情報を情報記憶媒体に格納するステップと、該情報記録媒体に格納されたダウンロード情報をコンテンツ受信システムが読み取るステップと、該読み取られたダウンロード情報に基づいてコンテンツプロバイダーが有料コンテンツをインターネットを介して送信するステップと、該送信された有料コンテンツをコンテンツ受信システムが受信するステップとを備えている。ここで、「情報記憶媒体」は、予めコンテンツプロバイダーから有料コンテンツをダウンロードさせるための情報が書き込まれ、量販店等で販売されているものである。また、上記情報記憶媒体は、例えば、光ディスクであり、ＣＤ−Ｒ、ＣＤ−ＲＷ、ＤＶＤ＋Ｒ、ＤＶＤ＋ＲＷ等が該当する。また、該情報記憶媒体は、スタンパにより形成されたＲＯＭピットに情報を記憶していることが考えられる。ここで、「スタンパ」とは、ディスクを大量に複製するための金型をいう。また、「ダウンロード情報」とは、ダウンロード可能なコンテンツを示す情報等であり、上記情報記憶媒体の購入価格に応じたコンテンツの識別情報等である。例えば、情報記憶媒体の購入価格が１０００円の場合には、１０００円分の価値を有するコンテンツがダウンロード可能となる。また、１０００円分を越えない範囲であれば、複数のコンテンツをダウンロードすることが可能であっても構わない。
【０００６】
また、請求項２の発明は、コンテンツプロバイダーの有料コンテンツをインターネットを介して受信するコンテンツ受信システムの制御手段に、情報記録媒体に格納された、有料コンテンツのうちダウンロードできる有料コンテンツ情報を含むダウンロード情報を読み取るステップと、該読み取ったダウンロード情報をコンテンツ受信システムの記憶手段に格納するステップと、該記憶手段に格納されたダウンロード情報に基づいてコンテンツプロバイダーから有料コンテンツをダウンロードするステップとを実行させる制御プログラムである。
【０００７】
また、請求項３の発明は、制御手段に、複数の有料コンテンツからユーザの要求に応じたコンテンツをダウンロードするステップを実行させる制御プログラムである。
【０００８】
また、請求項４の発明は、制御手段に、ダウンロードした有料コンテンツを情報記憶媒体に書き込むステップを実行させる制御プログラムである。
【０００９】
また、請求項５の発明は、請求項２乃至４に記載の制御プログラムを記録したコンピュータ読み取り可能な媒体である。
【００１０】
また、請求項６の発明は、請求項２乃至４に記載の制御プログラムと有料コンテンツのうちダウンロードできる有料コンテンツ情報を含むダウンロード情報とを記録したコンピュータ読み取り可能なデータ構造記録媒体である。
【００１１】
これにより、前述した目的を達成しようとするものである。
【００１２】
【発明の実施の形態】
〔実施の形態１〕
以下、本発明の実施形態１について、図１から図３を用いて説明する。
【００１３】
図１は、コンテンツプロバイダーとインターネットを介して接続されたコンテンツ受信システムの一例を示す概念図である。同図に示すように、コンテンツ受信システム１００は、インターネット１０２を介してコンテンツプロバイダー１０１と接続されている。ここで、コンテンツプロバイダー１０１は、コンテンツ情報を管理しているコンテンツサーバ１０３と、ダウンロード情報を管理している情報管理サーバ１０４とから構成されている。ここで、コンテンツ受信システム１００の物理的構成を図２を用いて説明する。
【００１４】
図２は、コンテンツ受信システムの物理的構成の一例を示すブロック図である。同図に示すように、コンテンツ受信システム１００は、記憶手段２００、制御手段２０１、送受信手段２０２から構成されている。ここで、記憶手段２００は、例えば、ＲＯＭ、ＲＡＭ、ＨＤＤ等に該当する。また、制御手段２０１は、例えば、ＣＰＵに該当する。また、送受信手段２０２は、例えば、通信ボード等が該当する。
【００１５】
次に、本実施形態の動作を図３に基づいて説明する。なお、コンテンツ受信システム制御プログラムを読み込んだコンテンツ受信システムが以下の各ステップを実行する。
【００１６】
図３は、コンテンツ受信システムが、情報記録媒体から情報を読み込み、コンテンツをダウンロードするフローの一例を示すフロー図である。以下、順を追って説明する。まず、制御手段２０１は、ダウンロード情報を情報記憶媒体から読み取る（ｓ３００）。次に、制御手段２０１は、情報記憶媒体から読み出したダウンロード情報を記憶手段２００に格納する（ｓ３０１）。次に、制御手段２０１は、記憶手段２００に格納されたダウンロード情報に基づいてコンテンツプロバイダー１０１から有料コンテンツを送受信手段２０２を介してダウンロードする（ｓ３０２）。ここで、有料コンテンツをダウンロードする際に、コンテンツのユーザに対してダウンロードすることができるコンテンツの一覧を示し、選択させることが考えられる。例えば、ＡとＢという有料コンテンツが存在した場合に、ユーザがコンテンツＡを選択すれば、制御手段２０１は、Ａをダウンロードする。または、予め決められたコンテンツを自動的にダウンロードすることも考えられる。また、有料コンテンツをダウンロードする際に、コンテンツプロバイダー１０１側で保持するダウンロードのための認証情報と上記ダウンロード情報との相互認証を行い、認証が適切である場合に、有料コンテンツをダウンロードすることができるようにすることも考えられる。次に、制御手段２０１は、ダウンロードしたコンテンツを情報記憶媒体に書き込む（ｓ３０３）。
【００１７】
以上で本実施形態の動作フローの説明を終了する。
【００１８】
このように、本実施形態１によれば、コンテンツ配信サービスにおける利用者の決裁に対する不安を解消し、インターネット１０２を利用して簡単、かつ便利にコンテンツをダウンロードできる。
【００１９】
ここで、本発明は、上記実施形態に限られるものではない。例えば、情報記憶媒体には予めコンテンツが格納されており、そのコンテンツを利用するための利用解除キーをダウンロードするようにしても構わない。
【００２０】
【発明の効果】
本発明は、上記のように構成され機能するので、コンテンツ配信サービスにおける利用者の決裁に対する不安を解消し、インターネットを利用して簡単、かつ便利にコンテンツをダウンロードできる。
【図面の簡単な説明】
【図１】コンテンツプロバイダーとインターネットを介して接続されたコンテンツ受信システムの一例を示す概念図である。
【図２】コンテンツ受信システムの物理的構成の一例を示すブロック図である。
【図３】コンテンツ受信システムが、情報記録媒体から情報を読み込み、コンテンツをダウンロードするフローの一例を示すフロー図である。
【符号の説明】
１００  コンテンツ受信システム
１０１  コンテンツプロバイダー
１０２  インターネット
１０３  コンテンツサーバ
１０４  情報管理サーバ
２００  記憶手段
２０１  制御手段
２０２  送受信手段
【図１】
2004152227.tif 000003
【図２】
2004152227.tif 000004
【図３】
2004152227.tif 000005